(57)【要約】【課題】タグＩＤを登録する手間を軽減し、誤入力を防止することができる外部接続装置を提供する。【解決手段】電子メール送信機能を有する通信装置に着脱自在に接続される外部接続装置であって、ＩＣタグを識別するタグＩＤを記憶する記憶部と、前記通信装置の電子メール送信機能を起動するメーラー起動部と、前記記憶部からタグＩＤを読み出し、読み出したタグＩＤを、前記メーラー起動部によって起動された電子メール送信機能の電子メールに記述する電子メール記述部と、を有する。【選択図】  図１
2004178100.tif 000002
【特許請求の範囲】
【請求項１】
電子メール送信機能を有する通信装置に着脱自在に接続される外部接続装置であって、
記録媒体を識別する媒体ＩＤを記憶する記憶部と、
前記通信装置の電子メール送信機能を起動するメーラー起動部と、
前記記憶部から媒体ＩＤを読み出し、読み出した媒体ＩＤを、前記メーラー起動部によって起動された電子メール送信機能の電子メールに記述する電子メール記述部と、
を有することを特徴とする外部接続装置。
【請求項２】
前記電子メール記述部によって媒体ＩＤが記述された電子メールを前記電子メール送信機能によって情報配信装置に送信させる送信指示部を有することを特徴とする請求項１記載の外部接続装置。
【請求項３】
前記電子メール記述部によって媒体ＩＤが記述された電子メールは、前記通信装置の入力部から送信指示が入力された場合に情報配信装置に送信されることを特徴とする請求項１記載の外部接続装置。
【請求項４】
前記電子メール記述部によって媒体ＩＤが記述された電子メールを前記電子メール送信機能によって情報配信装置に送信された後、前記情報配信装置からパスワードと該パスワードの返信先の宛先情報とを受信した場合に、前記電子メール送信機能によって、前記宛先情報に宛てて前記パスワードを送信するパスワード返信部
を有することを特徴とする請求項１から請求項３のうちいずれかに記載の外部接続装置。
【請求項５】
電子メール送信機能を有する通信装置に着脱自在に接続される外部接続装置を用いて前記通信装置に対応する記録媒体を識別する媒体ＩＤを電子メールに記述する媒体ＩＤ記述方法であって、
前記通信装置の電子メール送信機能を起動し、
記録媒体を識別する媒体ＩＤが記憶された記憶部から媒体ＩＤを読み出し、
読み出した媒体ＩＤを、前記起動された電子メール送信機能の電子メールに記述する
ことを特徴とする媒体ＩＤ記述方法。
【請求項６】
電子メール送信機能を有する通信装置に着脱自在に接続される外部接続装置を利用して、前記通信装置に対応する記録媒体を識別するための媒体ＩＤを情報配信装置に送信する媒体ＩＤ送信方法であって、
前記外部接続装置は、前記通信装置の電子メール送信機能を起動し、記録媒体を識別する媒体ＩＤが記憶された記憶部から媒体ＩＤを読み出し、読み出した媒体ＩＤを、前記起動された電子メール送信機能の電子メールに記述し、
前記通信装置は、前記外部接続装置によって媒体ＩＤが記述された電子メールを前記電子メール送信機能によって情報配信装置に送信し、前記情報配信装置からパスワードと該パスワードの返信先の宛先情報とを受信した場合に、前記宛先情報に宛てて前記パスワードを送信する
ことを特徴とする媒体ＩＤ送信方法。
【請求項７】
電子メール送信機能を有する通信装置に着脱自在に接続される外部接続装置に用いられる媒体ＩＤ記述プログラムであって、
前記通信装置の電子メール送信機能を起動するステップと、
記録媒体を識別する媒体ＩＤが記憶された記憶部から媒体ＩＤを読み出すステップと、
読み出した媒体ＩＤを、起動された電子メール送信機能の電子メールに記述するステップと
をコンピュータに実行させる媒体ＩＤ記述プログラム。
【発明の詳細な説明】
【０００１】
【発明の属する技術分野】
この発明は、記録媒体を利用し、情報配信装置から通信装置にコンテンツを配信する情報配信システムにおいて、記録媒体の媒体ＩＤを情報配信装置に登録する際に用いられる外部接続装置、媒体ＩＤ記述方法、媒体ＩＤ送信方法、媒体ＩＤ記述プログラムに関する。
【０００２】
【従来の技術】
従来から、記録媒体の一つであるＩＣチップ（例えば、非接触型ＩＣチップであり、以下、ＩＣタグと称す）を用いて様々なサービスが提供されている。例えば、身分証明用ＩＤカード、交通機関の定期やプリペイドカード、予め金額をチャージしておき商品やサービスの購入代金支払いを行う電子マネーカードなどとして利用されている。
また、例えば、ＩＣタグを識別する記録媒体の識別情報であるタグＩＤが記憶されたＩＣタグと、ＩＣタグと通信を行いタグＩＤを読み取るスキャナと、通信装置の１つであるインターネット対応可能な携帯電話と、各種コンテンツを記憶した情報配信装置とを用いて、コンテンツを配信するサービスを提供することも可能である。すなわち、タグＩＤと携帯電話の電子メールアドレスとを対応付けて情報配信装置に登録しておき、スキャナによってタグＩＤが読み取られた場合に、読み取られたタグＩＤに対応する電子メールアドレスに宛てて、情報配信装置からコンテンツを配信する。また、スキャナを複数設けておき、ＩＣタグを読み取るスキャナに応じて、異なるコンテンツを配信することにより、サービス内容を向上させることができる。
【０００３】
このようなサービスは、例えば、各種イベントを行うイベント会場に入場する際に、来場者にＩＣタグを配布し、来場者が携帯する携帯電話に接続できる電子メールアドレスと配布されたタグＩＤとを情報配信装置に登録してもらい、イベント会場に設けられたスキャナによってタグＩＤが読み取られた場合に、案内情報を配信することが可能である。
ここで、タグＩＤと来場者の携帯電話の電子メールアドレスとを登録してもらう場合、登録申込用紙にタグＩＤと電子メールアドレスとを来場者に記入してもらった後、受付に提出してもらい、係員によって情報配信装置に入力されることにより、登録が行われる。
【０００４】
また、上述したタグＩＤを読み出して、携帯電話に電子メールを配信するシステムは、利用されつつある（例えば、非特許文献１参照）。
【０００５】
【非特許文献１】
著者不明、“ＲＦ−ＩＤ活用で携帯電話に「かざすと届く」という新感覚のインターフェイスを提供  非接触ＩＣチップと携帯電話を融合したロケーション情報提供システム「ＬＥ−Ｘシステム」を「ＷＰＣ  ＥＸＰＯ  ２００２」に商用提供”［ｏｎｌｉｎｅ］、凸版印刷株式会社、［平成１４年１１月１日検索］、インターネット＜ＵＲＬ：ｈｔｔｐ：／／ｗｗｗ．ｔｏｐｐａｎ．ｃｏ．ｊｐ／ａｂｏｕｔｕｓ／ｒｅｌｅａｓｅ／ａｒｔｉｃｌｅ６３０．ｈｔｍｌ＞
【０００６】
【発明が解決しようとする課題】
しかしながら、上述した情報配信装置において、タグＩＤと電子メールアドレスとを登録してもらう場合、来場者が、タグＩＤや電子メールアドレスを誤って登録申込用紙に記入してしまう場合があるという問題が生じる。また、登録申込用紙から情報配信装置に入力する際に係員が入力ミスをする可能性があるという問題点がある。ここで、携帯電話のテンキーなどを利用して電子メールの本文内にタグＩＤを手入力してもらい、携帯電話から情報配信装置あてに電子メールを送信してもらうことにより、登録することが考えられる。しかし、この方法では、タグＩＤを来場者が携帯電話から手入力で入力する必要があるので、タグＩＤを入力する作業は来場者にとって煩雑であるとともに、来場者がタグＩＤを誤入力してしまうという問題点がある。
【０００７】
本発明は、このような事情に鑑みてなされたもので、その目的は、記録媒体の媒体ＩＤを登録する手間を軽減し、誤入力を防止することができる外部接続装置、媒体ＩＤ記述方法、媒体ＩＤ送信方法、媒体ＩＤ記述プログラムを提供することにある。
【０００８】
【課題を解決するための手段】
上記目的を達成するために、本発明は、電子メール送信機能を有する通信装置に着脱自在に接続される外部接続装置であって、記録媒体を識別する媒体ＩＤを記憶する記憶部と、前記通信装置の電子メール送信機能を起動するメーラー起動部と、前記記憶部から媒体ＩＤを読み出し、読み出した媒体ＩＤを、前記メーラー起動部によって起動された電子メール送信機能の電子メールに記述する電子メール記述部と、を有することを特徴とする。
【０００９】
また、本発明は、上述の外部接続装置において、前記電子メール記述部によって媒体ＩＤが記述された電子メールを前記電子メール送信機能によって情報配信装置に送信させる送信指示部を有することを特徴とする。
また、本発明は、上述の外部接続装置において、前記電子メール記述部によって媒体ＩＤが記述された電子メールは、前記通信装置の入力部から送信指示が入力された場合に情報配信装置に送信されることを特徴とする。
【００１０】
また、本発明は、上述の外部接続装置において、前記電子メール記述部によって媒体ＩＤが記述された電子メールを前記電子メール送信機能によって情報配信装置に送信された後、前記情報配信装置からパスワードと該パスワードの返信先の宛先情報とを受信した場合に、前記電子メール送信機能によって、前記宛先情報に宛てて前記パスワードを送信するパスワード返信部を有することを特徴とする。
【００１１】
また、本発明は、電子メール送信機能を有する通信装置に着脱自在に接続される外部接続装置を用いて前記通信装置に対応する記録媒体を識別する媒体ＩＤを電子メールに記述する媒体ＩＤ記述方法であって、前記通信装置の電子メール送信機能を起動し、記録媒体を識別する媒体ＩＤが記憶された記憶部から媒体ＩＤを読み出し、読み出した媒体ＩＤを、前記起動された電子メール送信機能の電子メールに記述することを特徴とする。
【００１２】
また、本発明は、電子メール送信機能を有する通信装置に着脱自在に接続される外部接続装置を利用して、前記通信装置に対応する記録媒体を識別するための媒体ＩＤを情報配信装置に送信する媒体ＩＤ送信方法であって、前記外部接続装置は、前記通信装置の電子メール送信機能を起動し、記録媒体を識別する媒体ＩＤが記憶された記憶部から媒体ＩＤを読み出し、読み出した媒体ＩＤを、前記起動された電子メール送信機能の電子メールに記述し、前記通信装置は、前記外部接続装置によって媒体ＩＤが記述された電子メールを前記電子メール送信機能によって情報配信装置に送信し、前記情報配信装置からパスワードと該パスワードの返信先の宛先情報とを受信した場合に、前記宛先情報に宛てて前記パスワードを送信することを特徴とする。
【００１３】
また、本発明は、電子メール送信機能を有する通信装置に着脱自在に接続される外部接続装置に用いられる媒体ＩＤ記述プログラムであって、前記通信装置の電子メール送信機能を起動するステップと、記録媒体を識別する媒体ＩＤが記憶された記憶部から媒体ＩＤを読み出すステップと、読み出した媒体ＩＤを、起動された電子メール送信機能の電子メールに記述するステップとをコンピュータに実行させることを特徴とする。
【００１４】
【発明の実施の形態】
以下、本発明の一実施形態による情報配信システムを図面を参照して説明する。図１は、この発明の一実施形態による外部接続装置を適用した情報配信システムの構成を示す概略ブロック図である。
この図において、情報配信システムは、通信装置の一例として携帯電話２、記録媒体一例としてのＩＣタグ５、外部接続装置６、読み取り装置の一例としてスキャナ７、ネットワーク８、情報配信サーバ１０、基地局１５とから構成される。
【００１５】
携帯電話２は、基地局１５を介して通常の音声通話を行うことができるとともに、基地局１５を介してインターネットに接続可能であり、インターネット上のＷｅｂサイトにアクセスし、Ｗｅｂページを閲覧でき、また、電子メールを作成して送信する電子メール送信機能と電子メールを受信する電子メール受信機能とを有する。また、携帯電話２は、この電子メール送信機能および電子メール受信機能を実現する際に利用される、携帯電話２を特定するための宛先情報となる電子メールアドレスが設定されている。
また、携帯電話２は、後述する外部接続装置６に着脱自在に接続可能な外部接続端子を有し、この外部接続端子に接続される外部接続装置６と情報の入出力を行う。
また、携帯電話２は、博覧会やイベントなど（以下、単に「イベント」と称す）の会場に来場する来場者に携帯され、ネットワーク８を介して情報配信サーバ１０と通信を行う通信装置であり、上述の通信装置に該当する。図１には、通信装置として、携帯電話２のみ示されているが、ネットワークに接続し、電子メールの送受信を行う機能を有するものであれば、これに限られるものではない。例えば、ＰＤＡ（Ｐｅｒｓｏｎａｌ  Ｄｉｇｉｔａｌ  Ａｓｓｉｓｔａｎｔ）、ゲーム機、携帯用無線呼び出し機であるページャ等でもよい。また、この通信装置は、図１には、１台のみ示されているが、１台以上接続されてもよい。なお、通信装置であれば、その場で電子メールを確認できるので、好適であるが、その他のパソコン（コンピュータ）やワークステーションなどに設置される情報端末であってもよい。
また、ここでいう来場者とは、本発明の情報配信システムによる情報配信サービスを利用する利用者のことである。
【００１６】
ＩＣタグ７０は、通信方法によって、非接触型、接触型やハイブリッド型などに分類され、例えば、このＩＣタグ７０は、ＲＦＩＤ（Ｒａｄｉｏ  Ｆｒｅｑｕｅｎｃｙ  Ｉｄｅｎｔｉｆｉｃａｔｉｏｎ）タグであり、来場者を識別するための情報となるタグＩＤを記憶しているとともに、スキャナ７と通信を行い、スキャナ７にタグＩＤを提供する。なお、このタグＩＤは、情報配信サーバ１０側においては、来場者を識別するための来場者ＩＤとして利用される。また、スキャナ７にタグＩＤを提供し、来場者が携帯可能な記録媒体であれば、ＩＣタグ７０、ＲＦＩＤタグ等のうちいずれかあるいは、ＩＣカード、磁気カードなどその他のものであってもよい。
【００１７】
また、このＩＣタグ７０は、イベント会場の入り口ゲートにおいて、来場する各来場者に発行され、各来場者によって携帯される。このＩＣタグ７０は、例えば、通信装置（携帯電話２）やイベント会場に入場するための入場券などの媒体に取り付けられ、来場者に携帯される。
ここで、イベント会場とは、様々なイベントが行われる場所であり、例えば、展示会や博覧会、遊園地、複数の店舗が集合している複合商業施設などである。来場者とは、イベント会場を訪れた者である。
【００１８】
外部接続装置６は、携帯電話２に着脱自在に接続される。この外部接続装置６の詳細については、後述する。
【００１９】
基地局１５は、セル内にある携帯電話２と無線通信を行い、携帯電話２を公衆回線に接続し、ユーザに音声通話によるサービスを提供するとともに、携帯電話２をインターネットに接続し、携帯電話２からネット上のＷｅｂサーバやメールサーバなどが提供するサービスを利用可能にする。
【００２０】
スキャナ７は、イベント会場内に複数台設けられ、それぞれにスキャナ７を識別するためのスキャナＩＤが付与されている。
また、スキャナ７は、ＩＣタグ５からタグＩＤを読み出し、情報配信サーバ１０に送信する。このスキャナ７は、ＩＣタグ５と無線通信を行うためのアンテナを有しており、このアンテナとＩＣタグ５との距離が所定の距離内に接近した場合に、スキャナ７から放射されている電波によってＩＣタグ５が駆動し、ＩＣタグ５からスキャナ７にタグＩＤが送信される。
また、スキャナ７は、ＩＣタグ５からタグＩＤを読み出した場合に、読み出したタグＩＤに自身へスキャナ７設定されたスキャナＩＤを付加して情報配信サーバ１０に送信する。これにより、どのスキャナ７によってどのタグＩＤを受信したかを特定することが可能である。
【００２１】
ネットワーク８は、有線、又は無線も対象とし、インターネット、電話線、専用線等を利用したネットワークである。
【００２２】
情報配信サーバ１０は、スキャナ７から送信されるタグＩＤとスキャナＩＤとを受信し、受信したタグＩＤとスキャナＩＤに基づいて、コンテンツを携帯電話２に配信する。情報配信サーバ１０は、予め携帯電話２の電子メールアドレスとタグＩＤとが対応付けされた情報を記憶しており、スキャナ７からタグＩＤを受信した場合に、受信したタグＩＤに基づいて、タグＩＤに対応する携帯電話２の電子メールアドレスを特定することが可能である。
なお、この情報配信サーバ１０は、上述の情報配信装置に相当する。
【００２３】
次に、外部接続装置６について説明する。図２は、外部接続装置６の構成を示す概略ブロック図である。
この図において、入出力インタフェース部（以下、「入出力Ｉ／Ｆ部」と称す。図２における「入出力Ｉ／Ｆ部」に相当）１１０は、携帯電話２の外部接続端子に着脱自在に接続可能であり、制御部１４０からの指示に基づいて、携帯電話２と各種情報の入出力を行う。
プログラム格納部１２０は、携帯電話２の電子メールアドレスと記憶部１３０に記憶されたタグＩＤとを携帯電話２の電子メールの送受信を行う機能を用いて情報配信サーバ１０に送信するための処理を行うユーザ登録プログラム１２０Ａを記憶する。
【００２４】
記憶部１３０は、ＩＣタグ５を識別するタグＩＤを記憶する。また、記憶部１３０は、携帯電話２の電子メールアドレスとタグＩＤとを情報配信サーバ１０に送信する際に用いる送信先の電子メールアドレスとなる宛先情報と該電子メールを送信する際に題名として設定する情報である題名情報とを記憶する。
ここで、この外部接続装置６は、ＩＣタグ５と組み合わされて配布され、来場者が携帯可能な形状をなしており、例えば、図３に示すように、ＩＣタグ５と外部接続装置６とが１組として構成され、携帯電話ストラップに取り付けられ、来場者に配布される。配布された携帯電話ストラップは、来場者自身によって携帯電話２に取り付けられる。この１組のＩＣタグ５と外部接続装置６とにおいて、ＩＣタグ５のタグＩＤが対応する外部接続装置６の記憶部１３０に製造段階又は製造後の所定段階において予め記憶される。なお、この外部接続装置６とＩＣタグ５は、図４に示すように、１つのケーシング内に格納される構成としてもよい。また、ＩＣタグ５および外部接続装置６のケーシングの形状としては、記号を象ったのもでもよく、イベント会場に関連するキャラクターや動物などの形状であってもよい。
【００２５】
制御部１４０は、プログラム格納部１２０に記憶されたユーザ登録プログラム１２０Ａを読み出して制御部１４０内の所定のメモリに一時保存し、実行することにより、ユーザ登録プログラム１２０Ａの処理を行う。
この制御部１４０は、ユーザ登録プログラム１２０Ａを実行するための機能として、メーラー起動部１５０、電子メール記述部１６０、送信指示部１７０、パスワード返信部１８０を有する。
【００２６】
制御部１４０において、メーラー起動部１５０は、通信装置（携帯電話２）の電子メール送信機能を起動する。
電子メール記述部１６０は、記憶部１３０からタグＩＤを読み出し、読み出したタグＩＤを、メーラー起動部１５０によって携帯電話２に起動された電子メール送信機能における電子メールに記述する。ここでいう記述とは、電子メールの宛先、題名、本文を入力するための項目内に各種情報を入力することをいう。また、メーラー起動部１５０によって電子メール送信機能が起動された電子メールの入力画面は、たとえば、図５に示すように、電子メールの題名を記述する題名記述欄（符号ａ）、電子メールを送信する宛先（電子メールアドレス）を記述する宛先記述欄（符号ｂ）、電子メールの本文を記述する本文記述欄（符号ｃ）、各種情報が記述された後の電子メールを送信させる指示を入力する送信ボタン（符号ｄ）によって構成される。電子メール記述部１６０は、本文記述欄（符号ｃ）にタグＩＤを記述する。
送信指示部１７０は、電子メール記述部１６０によって宛先記述欄に宛先情報、題名記述欄に題名情報、本文記述欄にタグＩＤが記述された電子メールを携帯電話２の電子メール送信機能によって情報配信サーバ１０に送信させる。
【００２７】
パスワード返信部１８０は、電子メール記述部１６０によってタグＩＤが記述された電子メールが携帯電話２の電子メール送信機能によって情報配信サーバ１０に送信された後、情報配信サーバ１０からパスワードと該パスワードの返信先の宛先情報とタグＩＤを含む情報を受信した場合に、ウェブ機能により、タグ管理サイト（例えば、情報配信サーバ１０が提供するサイト）のＵＲＬ等の宛先情報に宛ててパスワードを送信する。ここで、予めタグ管理サイトのＵＲＬ等の宛先情報とパスワードや、タグＩＤは結び着いていることが好ましいが、携帯電話のテンキーなどを押下してパスワード、タグＩＤを直接入力し、宛先情報に宛てて送信してもよい。
【００２８】
次に、情報配信サーバ１０について図６を参照してさらに説明する。図６（ａ）は、情報配信サーバ１０の構成について説明するための概略ブロック図である。
この図において、情報配信サーバ１０は、制御部５１、入力装置５５、出力装置５６、通信制御装置５７、記憶装置５８、記憶媒体駆動装置６１、入出力インタフェース部６２などがバスライン６３を介して接続されて構成されている。
【００２９】
制御部５１は、ＣＰＵ（Ｃｅｎｔｒａｌ  Ｐｒｏｃｅｓｓｉｎｇ  Ｕｎｉｔ）５３、ＲＯＭ（Ｒｅａｄ  ｏｎｌｙ  Ｍｅｍｏｒｙ）５２、ＲＡＭ（Ｒａｎｄｏｍ  Ａｃｃｅｓｓ  Ｍｅｍｏｒｙ）５４などから構成されており、所定のプログラムにしたがって各種情報処理を行う他、情報配信サーバ１０の各部を制御する。
具体的には、制御部５１は、記憶装置５８のプログラム格納部５９に格納されているチップ管理プログラム６５に従ってＩＣタグの登録・更新・削除などのＩＣタグ管理処理を行ったり、あるいは情報配信プログラム６６に従って、来場者の電子メールアドレスにコンテンツを配信する。
【００３０】
ＲＯＭ５２は、ＣＰＵ５３が各種演算や制御を行うための各種プログラム、データ及びパラメータなどを格納したリードオンリーメモリである。ＣＰＵ５３は、ＲＯＭ５２からプログラムやデータ、パラメータなどを読込むことができる。
【００３１】
ＲＡＭ５４は、ＣＰＵ５３にワーキングメモリとして使用されるランダムアクセスメモリである。ＣＰＵ５３は、ＲＡＭ５４にプログラムやデータなどを書込んだり消去したりすることができる。本実施の形態では、ＲＡＭ５４には、チップ管理処理を行ったり、コンテンツを配信したりするためのエリアの確保が可能となっている。
また、ＲＡＭ５４は、ＣＰＵ５３からの指示に基づいて、ワンタイムパスワードが発行された場合に、発行されたワンタイムパスワードと、該ワンタイムパスワードが発行された対象となる携帯電話の電子メールアドレスと、該ワンタイムパスワードが発行された対象となる送信先の携帯電話から送信されたタグＩＤとを対応付けて記憶する。
【００３２】
入力装置５５は、例えばキーボードやマウスなどの入力デバイスによって構成される。
出力装置５６は、例えば、ディスプレイ装置などの表示装置やプリンタなどの印刷装置である。
これら入力装置５５や出力装置５６は、例えば、システムの管理者などが登録されているユーザのデータを閲覧したり、装備しているプログラムをアップグレードしたりなど、情報配信サーバ１０を操作する際に使用される。
【００３３】
通信制御装置５７は、情報配信サーバ１０をインターネットやＬＡＮ（Ｌｏｃａｌ  Ａｒｅａ  Ｎｅｔｗｏｒｋ）などのネットワークに接続するための装置であって、モデム、ターミナルアダプタその他の接続装置によって構成されている。
通信制御装置５７は、ＣＰＵ５３によって制御され、例えばＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）などの所定のプロトコルに従ってネットワーク上のサーバ装置や端末装置などとデータの送受信を行うことができる。
通信制御装置５７は、スキャナ７と通信したり、携帯電話２と電子メールの送受信を行ったり、あるいは携帯電話２にＷｅｂページを配信したりなどする。
【００３４】
記憶装置５８は、読書き可能な記憶媒体と、その記憶媒体に対してプログラムやデータを読書きするための駆動装置によって構成されている。当該記憶媒体として主にハードディスクが使用されるが、その他に、例えば、光磁気ディスク、磁気ディスク、半導体メモリなどの他の読書き可能な記憶媒体によって構成することも可能である。
記憶装置５８は、各種プログラムを格納したプログラム格納部５９、各種データを格納したデータベース格納部６０などから構成されている。
【００３５】
記憶媒体駆動装置６１は、着脱可能な記憶媒体を駆動してＣＰＵ５３がデータの読書きを行うための駆動装置である。着脱可能な記憶媒体としては、例えば、光磁気ディスク、磁気ディスク、磁気テープ、半導体メモリ、データをパンチした紙テープ、ＣＤ−ＲＯＭなどがある。なお、ＣＤ−ＲＯＭや紙テープは、読込みのみ可能である。
【００３６】
入出力インタフェース部６２は、例えば、シリアルインターフェースやその他の規格のインタフェースにより構成されている。入出力インタフェース部６２に当該インタフェースに対応した外部機器を接続することにより、情報配信サーバ１０の機能を拡張することができる。このような外部機器として例えば、ハードディスクなどの記億装置、スピーカ、マイクロフォンなどがある。
【００３７】
図６（ｂ）は、プログラム格納部５９に格納されているプログラムの一例を示す図面である。
チップ管理プログラム６５は、タグＩＤと電子メールアドレスの対応を管理するためのプログラムであり、ＩＣタグの登録、再登録、削除などを行う機能をＣＰＵ５３に発揮させる。
ここで、ＩＣタグの登録とは、ユーザが新規にＩＣタグを入手した場合に、当該ＩＣタグと来場者が携帯する携帯電話２の電子メールアドレスを対応付けする処理のことである。
【００３８】
情報配信プログラム６６は、スキャナ７から受信したタグＩＤに対応付けされている電子メールアドレスに対して所定のコンテンツを配信するプログラムである。
プログラム格納部５９には、これらのプログラムの他に、ファイル管理など、情報配信サーバ１０の基本的な機能を実現するＯＳ（Ｏｐｅｒａｔｉｎｇ  Ｓｙｓｔｅｍ）や、通信制御装置５７を機能させる通信制御プログラム、その他のプログラムが格納されている。
【００３９】
図６（ｃ）は、データベース格納部６０に格納されている各種データの一例を示す図面である。
データベース６０には、ユーザマスタ７０、タグリスト７１、コンテンツ７２、その他のデータが格納されている。このコンテンツ７２としては、さまざまなコンテンツがそれぞれ、スキャナＩＤに対応付けられ記憶される。
【００４０】
ユーザマスタ７０には、タグＩＤが登録された来場者の電子メールアドレスなど、個々の来場者に関する情報が格納されている。
タグリスト７１には、タグＩＤが格納されている。タグリスト７１に格納されているタグＩＤには、既に携帯電話２のメールアドレスに紐付けされたＩＣタグのタグＩＤを含め、まだ紐付けされていないＩＣタグのタグＩＤも登録されている。
コンテンツ７２には、携帯電話２に配信することができる各コンテンツが格納されている。
【００４１】
図７は、ユーザマスタ７０とタグリスト７１との関係を説明するための図面である。
ユーザマスタ７０に格納されている各電子メールアドレスと、タグリスト７１に格納されているタグＩＤは、対応するものが関連づけされており、リレーショナルデータベースを構成している。
例えば、図中、メールアドレス８１は、タグＩＤ８３と関連づけされているが、タグＩＤ８２は未だメールアドレスに関連づけされていない。
【００４２】
図６に戻り、ＣＰＵ５３は、スキャナ７からタグＩＤを受信した場合、タグリスト７１で当該タグＩＤを検索し、次いで、このタグＩＤに関連づけされている電子メールアドレスをユーザマスタ７０から取得する。
このようにして、ＣＰＵ５３は、コンテンツを送信する送信先（来場者の通信装置が接続できる）の電子メールアドレスを取得することができる。
例えば、スキャナ７でタグＩＤ８３が検出された場合、ＣＰＵ５３は、電子メールアドレス８１によって特定される携帯電話２にコンテンツを配信する。
【００４３】
次に、情報配信システム１において、（１）タグＩＤを情報配信サーバ１０に送信、（２）ワンタイムパスワードを発行する処理、（３）タグＩＤを登録する処理、（４）携帯電話２にコンテンツを配信する処理について、以下、図面を用いて順次説明する。
【００４４】
（１）タグＩＤを情報配信サーバ１０に送信
まず、タグＩＤを情報配信サーバ１０に送信する処理について説明する。図８は、外部接続装置６がタグＩＤを情報配信サーバ１０に送信する処理について説明するためのフローチャートである。ここでは、外部接続装置６とＩＣタグ５とが１組みの携帯電話ストラップとしてイベント会場に来場する来場者に配布されているものとする。
外部接続装置６の制御部１４０は、携帯電話２の外部接続端子に接続されたか否かを検出する（ステップＳ１００）。ここで、来場者によって外部接続装置６が携帯電話２に接続されると、制御部１４０は、プログラム格納部１２０からユーザ登録プログラム１２０Ａを読み出し、実行する。すなわち、制御部１４０において、メーラー起動部１５０は、携帯電話２の電子メール送信機能を起動させる（ステップＳ１１０）。携帯電話２において電子メール送信機能が起動されると、電子メール記述部１６０は、記憶部１３０から宛先情報と題名情報を読み出し、携帯電話２において起動されている電子メールに対し、宛先情報を電子メールの送信先の宛先記述欄に記述し、題名情報を電子メールの題名記述欄に記述する（ステップＳ１２０）。次いで電子メール記述部１６０は、記憶部１３０からタグＩＤを読み出し（ステップＳ１３０）、読み出したタグＩＤを先の電子メールの本文記述欄に記述する（ステップＳ１４０）。電子メール記述部１６０によってタグＩＤが記述されると、送信指示部１７０は、携帯電話２において宛先情報、題名情報、タグＩＤが記述された電子メールを送信するように携帯電話２に指示する（ステップＳ１５０）。この送信指示によって、図５における送信ボタン（符号ｄ）をクリックしたことと同様の処理が行われる。そして、この送信指示を受けて、携帯電話２は、宛先情報、題名情報、タグＩＤが記述された電子メールを宛先情報に基づいて、登録申込用電子メールとして宛先となる情報配信サーバ１０に送信する。
【００４５】
（２）ワンタイムパスワードを発行する処理
次に、ワンタイムパスワードを発行する処理について図９のフローチャートを用いて説明する。
図８において説明したように、外部接続装置６からの指示に従い、タグＩＤが本文に記述された登録申込用電子メールが携帯電話２から情報配信サーバ１０に送信されると（ステップＳ５）、情報配信サーバ１０は、登録申込用電子メールを受信する（ステップＳ２０）。
この場合、登録申込用電子メールは、携帯電話２あてにコンテンツを送信する宛先情報となる電子メールアドレスと、携帯電話２に取り付けられたＩＣタグを識別するタグＩＤを含んでおり、情報処理サーバ１０のＣＰＵ５３は、宛先情報取得手段と、識別情報取得手段と、を構成している。
【００４６】
ＣＰＵ５３は、受信した電子メールの本文がタグＩＤであるか否かを確認する（ステップＳ２５）。タグＩＤは、例えば１２桁の数字から構成されている。そして、来場者によって本文にタグＩＤ以外の文字などが入力された場合においても、入力された本文からタグＩＤのみを抽出することも可能である。ＣＰＵ５３は、抽出したタグＩＤをＲＡＭ５４などに一時的に記憶する。
【００４７】
一般に、電子メールには送信元の電子メールアドレス（携帯電話２の電子メールアドレス）が付随している。そこで、ＣＰＵ５３は、受信した登録申込用電子メールの送信元の電子メールアドレスを抽出する。
そして、ＣＰＵ５３は、抽出した電子メールアドレスが既にユーザマスタ７０に登録されているか否かを確認し、登録されていない場合は抽出した電子メールアドレスを仮登録する（ステップＳ３０）。
また、抽出した電子メールアドレスが既に登録されている場合は、電子メールにてエラーメッセージを携帯電話２に配信する図１０（ａ）。この配信により、１つの電子メールアドレスに対し、当該同一のタグＩＤが二重登録されるのを防ぐことができる。
但し、１つの電子メールアドレスに対し、異なるタグＩＤであれば、複数登録することができる。
【００４８】
次に、ＣＰＵ５３は、ワンタイムパスワードを発行する（ステップＳ３５）。このワンタイムパスワードは、例えば、発行後１２時間有効であるといったように有効期限があり、しかも一度きりの使い捨てパスワードである。
後述するように、ワンタイムパスワードの発行によりなりすまし防止など、セキュリティを高めることができる。
なお、ＣＰＵ５３は、後程来場者から返送されてくるワンタイムパスワードを照合するために、発行したワンタイムパスワードと該ワンタイムパスワードが発行された対象となる携帯電話の電子メールアドレスと、該ワンタイムパスワードが発行された対象となる送信先の携帯電話から送信されたタグＩＤとを対応付けてＲＡＭ５４に一時的に記憶する。
【００４９】
次に、ＣＰＵ５３は、登録用電子メールを生成し、これを先に抽出した電子メールアドレス、即ち発信元の携帯電話２に送信する（ステップＳ４０）。この登録用電子メールには、ワンタイムパスワードの他、ワンタイムパスワードの返信先であるタグ管理サイト（情報配信サーバ１０）のＵＲＬ、登録申込用電子メールの本文に記述されたタグＩＤが含まれている。
情報配信サーバ１０から登録用電子メールが送信されると、携帯電話２は、登録用電子メールを受信する（ステップＳ１０）。
登録用電子メールは、ワンタイムパスワードと、ワンタイムパスワードの入力先であるタグ管理サイトのＵＲＬ、登録申込用電子メールの本文に記述されたタグＩＤを含んでおり、この場合、ＣＰＵ５３はパスワード送信手段を構成している。
【００５０】
図１０（ｂ）は、携帯電話２の表示画面に表示された登録用電子メールの一例を示した図である。
登録用電子メールには、ワンタイムパスワードの有効期限８０、タグ管理サイトのＵＲＬ８１、ワンタイムパスワード８２、タグＩＤ８３が表示される。
有効期限８０は、ワンタイムパスワード８２の有効期限を示している。この期限までにワンタイムパスワード８２をタグ管理サイトで入力送信しないと、ＩＣタグ５の仮登録は無効となり、再度、来場者は外部接続装置６を用いて登録申込用電子メールを作成しなければならない。
【００５１】
ＵＲＬ８１は、携帯電話２の入力部を介して入力される来場者からの指示、あるいは、外部接続装置６の制御部１４０の指示に応じて選択される。前述の如く、ＵＲＬ８１には予めワンタイムパスワード８２とタグＩＤ８３とは、結び付いていることが好ましく、結び付いている場合には、ＵＲＬ８１が選択された状態において送信指示が入力されることにより、携帯電話２は、ワンタイムパスワード８２とタグＩＤ８３とを情報配信サーバ１０に送信するようになっている。また、結び付いていない場合には、ユーザ自身が登録画面において、ワンタイムパスワード８２とタグＩＤ８３とを入力し、情報配信サーバ１０に送信する。
【００５２】
（３）タグＩＤを登録する処理
次に、タグＩＤを登録する処理について図１１のフローチャートを用いて説明する。
登録用受信メールを携帯電話２によって受信すると、来場者は、携帯電話２によって受信した登録用電子メールの中のＵＲＬ８１を選択する。携帯電話２は、このＵＲＬ８１が選択されると、Ｗｅｂ機能を利用してタグ管理サイトに接続する。接続されたタグ管理サイトには、ワンタイムパスワードを入力するワンタイムパスワード入力欄があり、来場者は、先に取得したワンタイムパスワードをこのワンタイムパスワード入力欄にテンキーなどを利用して入力する。入力されたワンタイムパスワードは、来場者からの送信指示に基づいて、情報配信サーバＩＤに送信される。（ステップＳ５０）。
【００５３】
情報配信サーバ１０のＣＰＵ５３は、携帯電話２から入力されたワンタイムパスワード８２を取得する。
この場合、ＣＰＵ５３は、ワンタイムパスワードを取得するパスワード取得手段を構成している。
【００５４】
そして、ＣＰＵ５３は、受信したワンタイムパスワード８２を利用して、ＲＡＭ５４に一時的に記憶してある発行済みのワンタイムパスワードを検索し、受信したワンタイムパスワードに一致するワンタイムパスワードがＲＡＭ５４に記憶されているか否かを検出する。
一致するワンタイムパスワードが検出された場合、更に、ワンタイムパスワードの有効期限を確認し、受信したワンタイムパスワード８２が妥当なものであるか否かを検出する（ステップＳ６０）。
【００５５】
ワンタイムパスワード８２が妥当でない場合（ステップＳ６０；Ｎ）、ＣＰＵ５３は、登録エラー画面データを携帯電話２に送信し（ステップＳ９０）、ユーザマスタ７０から仮登録してある当該電子メールアドレスを削除する（ステップＳ９５）。
ワンタイムパスワード８２が妥当であった場合（ステップＳ６０；Ｙ）、ＣＰＵ５３は、一致したワンタイムパスワードに対応するタグＩＤをＲＡＭ５４に一時的に記憶しておいた情報の中から検索し、対応するタグＩＤ（登録申込用電子メールの本文に記載されていたもの）を読出し、タグＩＤの桁数や、タグＩＤがタグリスト７１に登録されているか否かなどをチェックし、登録しようとしているＩＣタグ５が正当なＩＣタグか否かを確認する（ステップ６５）。
【００５６】
正当なＩＣタグでない場合（ステップＳ６５；Ｎ）、ＣＰＵ５３は、登録エラー画面データを携帯電話２に送信し（ステップＳ９０）、ユーザマスタ７０から仮登録してある当該電子メールアドレスを削除する（ステップＳ９５）。
一方、正当なＩＣタグであった場合（ステップＳ６５；Ｙ）、ＣＰＵ５３は、当該タグＩＤが未使用か否かを確認する（ステップＳ７０）。
これは、ＣＰＵ５３がタグリスト７１で当該タグＩＤを検索し、当該タグＩＤに既に関連づけされた電子メールアドレスがあるか否かを確認することにより行われる。
この確認により、例えば、ある来場者が落としたＩＣタグ５を拾った来場者が登録する場合などを防止することができる。
【００５７】
ＩＣタグ５が未使用でなかった場合（ステップＳ７０；Ｎ）、ＣＰＵ５３は、登録エラー画面データを携帯電話２に送信し（ステップＳ９０）、ユーザマスタ７０から仮登録してある当該電子メールアドレスを削除する（ステップＳ９５）。
ＩＣタグ５が未使用であった場合（ステップＳ７０；Ｙ）、ＣＰＵ５３は、更に当該電子メールアドレスに他のＩＣタグが関連づけされているか否か確認する。
【００５８】
当該電子メールアドレスに既にタグＩＤが関連づけされている場合（ステップＳ７５；Ｎ）、ＣＰＵ５３は、登録エラー画面データを携帯電話２に送信し（ステップＳ９０）、ユーザマスタ７０から仮登録してある当該電子メールアドレスを削除する（ステップＳ９５）。
当該電子メールアドレスにまだタグＩＤが関連づけされていない場合（ステップＳ７５；Ｙ）、当該電子メールアドレスを本登録すると共に、当該メールアドレスと当該タグＩＤを関連づけすることによりＩＣタグ５を登録する（ステップＳ８０）。このときの登録は、ワンタイムパスワードとタグＩＤとに対応付けられてＲＡＭ５４に一時記憶された電子メールアドレスと、該タグＩＤとが関連づけられて登録される。
この場合、ＣＰＵ５３は、ワンタイムパスワードを送信した送信先の電子メールアドレスと、この電子メールアドレスで特定されるタグＩＤを対応させて登録する登録手段を構成している。
また、メールアドレスとタグＩＤを関連づけすることによりＩＣタグ５が登録されると、ＣＰＵ５３は、ＲＡＭ５４に一時記憶されたワンタイムパスワードと該ワンタイムパスワードに対応付けて記憶された電子メールアドレスおよびタグＩＤの情報を削除する。
【００５９】
次に、ＣＰＵ５３は、登録完了画面データを携帯電話２に送信する（ステップＳ８５）。
携帯電話２は、登録エラー画面データ又は登録完了画面データを受信してこれを表示部に表示する（ステップＳ５５）。
【００６０】
図１０（ｃ）は、携帯電話２が登録エラー画面データを用いて表示した登録エラー画面の一例を示した図である。この画面は、例えばＨＴＭＬ（Ｈｙｐｅｒｔｅｘｔ  Ｍａｒｋｕｐ  Ｌａｎｇｕａｇｅ）により記述されている。
図に示したように、エラー画面には、ＩＣタグ５が登録できなかった理由が列挙される。本実施の形態では、これらのうち、どの項目が原因でエラーが生したかまでは来場者に通知しないが、例えは「タグＩＤが既に登録されているため登録できませんでした」などと、エラーの原因を特定するように表示することも可能である。
【００６１】
図１０（ｄ）は、携帯霞話２が登録完了画面データを用いて表示した登録完了画面の一例を示した図である。
登録完了画面データには、登録したタグＩＤが含まれており、登録完了画面には登録が完了した旨とタグＩＤが表示される。
来場者は、登録完了画面に表示されたタグＩＤを確認することにより、確かに自分のＩＣタグ５が登録されたか否かを確認することができる。
【００６２】
以上説明した（３）タグＩＤを登録する処理においては、携帯電話２から情報配信サーバ１０にワンタイムパスワードを送信する場合、来場者がテンキーなどを利用してワンタイムパスワード入力欄に入力して送信する場合について説明したが、タグ管理サイトのＵＲＬ等の宛先情報とパスワードやタグＩＤは結びついており、来場者が入力しなくても済む方が望ましい。
この場合、情報配信サーバ１０は、携帯電話２から登録申込用メールを受信した後、携帯電話２にワンタイムパスワードを送信する際、タグ管理サイトのＵＲＬ８１の次に「＆」の文字を介して引数としてワンタイムパスワードを連結し、アクセス用ＵＲＬを生成し、生成したアクセス用ＵＲＬを電子メールの本文に記述して登録用電子メールとして携帯電話２に送信する。ここで、アクセス用ＵＲＬは、例えば、「ｈｔｔｐ：／／ａｂｃｓｅｒｖｅｒ．ｌｅｘ．ｎｅｔ／ｕｓｅｒ？ＣＩＤ＝ＸＸＸ＆ｐｍｉｄ＝ＸＸＸＸＸＸＸＸ＆ｏｔｐｗｄ＝１２３４５＆ｃｐｉｄ１２３４５６７８９０１２３」などの様に記述される。ここでは、「＆ｏｔｐｗｄ＝１２３４５」の記述が＆の文字を介して連結されたワンタイムパスワード部分に相当する。
【００６３】
携帯電話２は、この登録用電子メールを受信すると、表示画面に表示する。そして、アクセス用ＵＲＬが来場者によって選択され、クリックされると、このアクセス用ＵＲＬがタグ管理サイトに送信される。
【００６４】
アクセス用ＵＲＬが送信されると、情報配信サーバ１０（タグ管理サイト）のＣＰＵ５３は、送信されたアクセス用ＵＲＬの「＆ｏｔｐｗｄ＝」の文字に基づいて、ワンタイムパスワードを抽出し、抽出したワンタイムパスワードがＲＡＭ５４に一時記憶されているか否かを検索する。以下、上述した手順と同様に処理が行われる。
【００６５】
また、携帯電話２からアクセス用ＵＲＬを情報配信サーバ１０に送信する場合に、アクセス用ＵＲＬのワンタイムパスワードにさらに、「＆」の文字を介してタグＩＤを連結し、送信するようにしてもよい。これにより、情報配信サーバ１０のＣＰＵ５３が、アクセス用ＵＲＬからワンタイムパスワードを抽出する場合に、アクセス用ＵＲＬからさらにタグＩＤを抽出し、抽出したタグＩＤとワンタイムパスワードとの組み合わせがＲＡＭ５４に一時記憶されているか否かを検出することにより認証を行うようにしてもよい。
【００６６】
以上のように、登録申込用電子メールの送信元（携帯電話２）の電子メールアドレスにワンタイムパスワードを送信する方式を採用すると以下の理由によりセキュリティが高まる。
専門知識を持つ者にとって、電子メールの送信元を変造した電子メールを作成することは可能である。そのため、情報配信サーバ１０が、携帯電話から登録申込用電子メールを受信した場合、一旦送信元の電子メールアドレスに確認用の電子メールを送信して更に返信してもらうことにより、確かに、その携帯電話から登録申込用電子メールが送信されたか否かを当該携帯電話２の持ち主に確認することができる。
【００６７】
また、ワンタイムパスワードを発行して当該携帯電話２に送信することにより、更に返信が偽造されていないかどうかを確認することができる。即ち、返信用のワンタイムパスワードは、登録申込用電子メールの送信元である携帯電話２にしか送信されないため、他の携帯電話２などから当該携帯電話２を装って返信することが不可能となるからである。
【００６８】
また、登録するＩＣタグが既に登録されていないかどうか確認するため、例えば、ＩＣタグ５を落として他の人に登録されたり、あるいは盗難されたＩＣタグが登録されてしまうことを低減することができる。
【００６９】
なお、本実施の形態では、前半の登録申込手順を電子メールを用いて行い、後半の登録手順をＷｅｂサイトを用いて行ったが、これに限定するものではなく、例えば、全ての手順を電子メールで行うようにしてもよい。
この場合、まず、情報配信サーバ１０は、タグＩＤを本文とした登録申込用電子メールを携帯電話２から受信して、送信元の電子メールアドレスを抽出する。
この場合、ＣＰＵ５３は、宛先情報取得手段（メールアドレスの取得）と識別情報取得手段（タグＩＤの取得）を構成している。
【００７０】
情報配信サーバ１０は、登録申込用電子メールの発信元に返信先の電子メールアドレスを添付した確認用電子メールを送信する。携帯電話２では、これを受信した後、送られてきた返信先の電子メールアドレスに宛てて返信する。
この場合、ＣＰＵ５３は、返信宛先情報（返信先のメールアドレス）送信手段を構成している。
情報配信サーバ１０は、返信されてきた電子メールの電子メールアドレスを抽出し、これと確認用電子メールの送信先と一致するものがあった場合、当該電子メールアドレスとタグＩＤを対応付けて登録する。
この場合、ＣＰＵ５３は、返信元宛先情報（返信されてきた電子メールのメールアドレス）取得手段と、登録手段を構成している。
この登録方法は、ワンタイムパスワードを用いる場合よりもセキュリティは低下するが、申込元の携帯電話に確認用の電子メールを送信するため、なりすましの可能性を低減することができる。
【００７１】
（４）携帯電話２にコンテンツを配信する処理
次に、コンテンツを配信する処理について説明する。
上述した（１）から（３）の処理が行われた後、イベント会場内において来場者が回遊し、ＩＣタグ５が来場者によってスキャナ７に近づけられ、ＩＣタグ５のタグＩＤがスキャナに読み出されると、スキャナ７は、読み出したタグＩＤに自身に設定されたスキャナＩＤを付加して情報配信サーバ１０に送信する。情報配信サーバ１０のＣＰＵ５３は、スキャナ７からタグＩＤとスキャナＩＤとをスキャナ７から受信すると、受信したスキャナＩＤに基づいて、このスキャナＩＤに対応するコンテンツをデータベース格納部６０から読み出す。そして、ＣＰＵ５３は、スキャナ７から受信したタグＩＤ送信されたタグＩＤに対応付けて記憶された電子メールアドレスをユーザマスタ７０から読み出し、読み出した電子メールアドレスを宛先情報として設定し、読み出したコンテンツを携帯電話２に配信する。
以下、スキャナ７によってタグＩＤが読み取られる毎にコンテンツの配信が行われる。
【００７２】
なお、以上説明した実施形態において、電子メール記述部１６０によって宛先情報、題名情報、タグＩＤが入力された電子メールを送信する場合、送信指示部１７０が携帯電話２に送信指示を出力する場合について説明したが、送信指示部１７０から電子メール送信の指示を行わず、携帯電話２のテンキーや決定ボタンなどの入力部を介して来場者から送信指示が入力された場合に情報配信サーバ１０に送信させるようにしてもよい。これにより、来場者自身が、電子メールを送信するか否かを決定することができる。
【００７３】
なお、上述した実施形態において、登録用電子メールを受信した場合に、来場者がワンタイムパスワードを送信するか否かの指示を入力する場合について説明したが、制御部１４０が、携帯電話２によって受信した登録用メール中の本文の中から、記憶部１３０に記憶されたタグＩＤに一致するタグＩＤが含まれるＵＲＬがあるか否かを検出し、一致するタグＩＤが含まれるＵＲＬ８１が検出された場合に、ＵＲＬ８１を選択し、ワンタイムパスワードの入力指示を携帯電話２に出力するようにしてもよい。これにより、来場者が入力指示を入力する手間が省ける。
【００７４】
なお、上述した実施形態では、情報配信システム１をイベント会場に設けた場合について説明したが、限られた範囲の施設内において、該施設の案内や広告に関する情報を配信することができるものであれば、イベント会場以外に情報配信システム１を設けるようにしてもよい。例えば、ショッピングモール、ビル、遊園地、博物館、美術館、動物園、水族館、博覧会、テーマパーク等の複合又は単独の施設に適用し、施設内の案内情報を配信することが可能である。
また、複合又は単独の施設とは、実際に建築物がなくてもよく、従って、ある地域や場所ごとにその地域、場所に応じた配信情報を配信することができるものであれば、屋外で使用するようにしてもよい。
【００７５】
また、図２におけるメーラー起動部１５０、電子メール記述部１６０、送信指示部１７０、パスワード返信部１８０の機能を実現するためのプログラムをコンピュータ読み取り可能な記録媒体に記録して、この記録媒体に記録されたプログラムをコンピュータシステムに読み込ませ、実行することによりタグＩＤを電子メールに記述して情報配信サーバ１０に送信する処理を行ってもよい。なお、ここでいう「コンピュータシステム」とは、ＯＳや周辺機器等のハードウェアを含むものとする。
【００７６】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７７】
以上、この発明の実施形態を図面を参照して詳述してきたが、具体的な構成はこの実施形態に限られるものではなく、この発明の要旨を逸脱しない範囲の設計等も含まれる。
【００７８】
【発明の効果】
以上説明したように、この発明によれば、外部接続装置によって、通信装置の電子メール送信機能を起動し、ＩＣタグを識別するタグＩＤが記憶された記憶部からタグＩＤを読み出し、読み出したタグＩＤを、起動された電子メール送信機能の電子メールに記述するようにしたので、タグＩＤを手入力によって入力する手間を軽減することができるとともに、誤入力を防止することができる。
【００７９】
また、本発明によれば、タグＩＤが記述された電子メールを電子メール送信機能によって情報配信装置に送信させるようにしたので、送信指示を操作者が入力する必要が無く、操作を簡略化できる。
【００８０】
また、この発明によれば、タグＩＤが記述された電子メールは、通信装置の入力部から送信指示が入力された場合に情報配信装置に送信されるようにしたので、操作者が電子メールを送信してよいか否かを最終確認することが可能である。
【００８１】
また、本発明によれば、情報配信装置からパスワードと該パスワードの返信先の宛先情報とを受信した場合に、宛先を指定し、送信指示の操作を行うだけで、情報配信装置のタグ管理サイトにパスワードとタグＩＤとを送信することができるので、操作者の操作を簡略化することが可能である。また、この操作は通信装置の機種に左右されず、ほぼ共通したものなので、機種による違いを気にする必要がない。
【００８２】
また、本発明によれば、外部接続装置が通信装置の電子メール送信機能を起動し、ＩＣタグを識別するタグＩＤが記憶された記憶部からタグＩＤを読み出し、読み出したタグＩＤを、起動された電子メール送信機能の電子メールに記述し、通信装置が、外部接続装置によってタグＩＤが記述された電子メールを電子メール送信機能によって情報配信装置に送信し、情報配信装置からパスワードと該パスワードの返信先の宛先情報とを受信した場合に、宛先情報に宛ててパスワードを送信するようにしたので、タグＩＤを手入力によって入力する手間を軽減することができるとともに、誤入力を防止することができるとともに、電子メールの発信元である通信装置にパスワードを一度送信し、返信してもらうことにより、タグＩＤを登録しようとしている本人であることを確認することができ、第３者によるなりすまし登録を防止することができるとともに、電子メールの送信元を変造した電子メールによるタグＩＤの登録を防止することができる。
【図面の簡単な説明】
【図１】この発明の一実施形態による外部接続装置を適用した情報配信システムの構成を示す概略ブロック図である。
【図２】外部接続装置６の構成を示す概略ブロック図である。
【図３】ＩＣタグ５と外部接続装置６との外観の一例を示す図面である。
【図４】ＩＣタグ５と外部接続装置６との外観の一例を示す図面である。
【図５】電子メールの記述欄について説明するための図面である。
【図６】情報配信サーバ１０の構成について説明するための図（ａ）、プログラム格納部に格納されているプログラムの一例を示す図（ｂ）、データベース格納部に格納されている各種データの一例を示す図（ｃ）である。
【図７】ユーザマスタ７０とタグリスト７１との関係を説明するための図面である。
【図８】外部接続装置６がタグＩＤを情報配信サーバ１０に送信する処理について説明するためのフローチャートである。
【図９】ワンタイムパスワードを発行する処理について説明するためのフローチャートである。
【図１０】携帯電話２の表示画面に表示される情報の一例を示す図面である。
【図１１】タグＩＤを登録する処理について説明するためのフローチャートである。
【符号の説明】
１  情報配信システム                  ２  携帯電話
５  ＩＣタグ                          ６  外部接続装置
７  スキャナ                          ８  ネットワーク
１０  情報配信サーバ                  １１０  入出力Ｉ／Ｆ部
１２０  プログラム格納部              １２０Ａ  ユーザ登録プログラム
１３０  記憶部                        １４０  制御部
１５０  メーラー起動部                １６０  電子メール記述部
１７０  送信指示部                    １８０  パスワード返信部
【図１】
2004178100.tif 000003
【図２】
2004178100.tif 000004
【図３】
2004178100.tif 000005
【図４】
2004178100.tif 000006
【図５】
2004178100.tif 000007
【図６】
2004178100.tif 000008
【図７】
2004178100.tif 000009
【図８】
2004178100.tif 000010
【図９】
2004178100.tif 000011
【図１０】
2004178100.tif 000012
【図１１】
2004178100.tif 000013